(57)【要約】【課題】複合機から他の端末に転送された画像データの画像を印刷することができるようにすること。【解決手段】複合機１１０は、画像データの送受信を行うネットワークインターフェース１１４と、ネットワークインターフェース１１４で受信された画像データの送信先を示す送信設定情報を記憶するハードディスク１１７と、ネットワークインターフェース１１４で受信された画像データの画像が印刷可能と判断した場合に、ネットワークインターフェース１１４で受信された画像データを、送信設定情報で示される送信先へ、ネットワークインターフェース１１４に送信させるＣＰＵ１１１と、を備える。【選択図】図２
2012151741.tif 000002
【特許請求の範囲】
【請求項１】
画像データの送受信を行う通信部と、
前記通信部で受信された画像データの送信先を含む送信設定情報を記憶する記憶部と、
前記通信部で受信された画像データの画像が印刷可能と判断した場合に、前記通信部で受信された画像データを、前記送信設定情報で示される送信先へ、前記通信部に送信させる制御部と、
を備えることを特徴とする画像転送装置。
【請求項２】
画像を印刷する印刷部をさらに備え、
前記制御部は、前記通信部で受信された画像データの画像が前記印刷部で印刷可能と判断した場合に、前記通信部で受信された画像データを、前記送信設定情報で示される送信先へ、前記通信部に送信させること
を特徴とする請求項１に記載の画像転送装置。
【請求項３】
前記制御部は、前記通信部で受信された画像データを、前記印刷部で印刷を実行する画像形式に変換することができた場合に、前記通信部で受信された画像データが、前記印刷部で印刷可能と判断すること
を特徴とする請求項２に記載の画像転送装置。
【請求項４】
前記送信設定情報は、前記画像データの送信元を示す送信元情報と、当該送信元から受信された画像データを送信する送信先を示す送信先情報とを含み、
前記制御部は、前記通信部で受信された画像データを、前記送信設定情報に基づいて、前記通信部で受信された画像データの送信元に対応する送信先へ、前記通信部に送信させること
を特徴とする請求項１から３の何れか一項に記載の画像転送装置。
【請求項５】
前記送信設定情報は、さらに、前記送信元から受信された画像データを送信するプロトコルを示す送信プロトコルを含み、
前記制御部は、前記通信部で受信された画像データを、前記送信設定情報に基づいて、前記通信部で受信された画像データの送信元に対応する送信プロトコルを用いて、前記通信部に送信させること
を特徴とする請求項４に記載の画像転送装置。
【請求項６】
前記送信設定情報は、さらに、前記送信元から受信された画像データを印刷するか否かを示す印刷設定を含み、
前記制御部は、前記送信設定情報に基づいて、前記通信部で受信された画像データの送信元に対応する印刷設定が印刷することを示す場合には、前記通信部で受信された画像データを前記印刷部に印刷させること
を特徴とする請求項４又は５に記載の画像転送装置。
【請求項７】
画像データの送受信を行う通信部と、
前記通信部で受信された画像データの送信先を含む送信設定情報、及び、当該送信先における画像データの処理能力を示す送信先能力情報を記憶する記憶部と、
前記送信設定情報で示される送信先の処理能力を前記送信先能力情報から特定し、当該特定された処理能力で、前記通信部で受信された画像データを処理することができると判断した場合に、前記通信部で受信された画像データを、前記送信設定情報で示される送信先へ、前記通信部に送信させる制御部と、
を備えることを特徴とする画像転送装置。
【請求項８】
前記制御部は、前記特定された処理能力で、前記通信部で受信された画像データを処理することができないと判断した場合には、前記特定された処理能力で処理できる画像データになるように、前記通信部で受信された画像データを変換することで変換済み画像データを生成し、当該変換済み画像データを、前記送信設定情報で示される送信先に送信させること
を特徴とする請求項７に記載の画像転送装置。
【請求項９】
前記制御部は、前記送信設定情報で示される送信先の処理能力を前記送信先能力情報から特定することができない場合には、前記通信部を介して、前記送信先から前記処理能力を取得すること
を特徴とする請求項７又は８に記載の画像転送装置。
【請求項１０】
前記処理能力は、前記送信先で印刷することのできるカラーモード、原稿サイズ及び画像形式の少なくとも何れか１つであること
を特徴とする請求項７から９の何れか一項記載の画像転送装置。
【請求項１１】
前記送信設定情報は、前記画像データの送信元を示す送信元情報と、当該送信元から受信された画像データを送信する送信先を示す送信先情報とを含み、
前記制御部は、前記送信設定情報に基づいて、前記通信部で受信された画像データの送信元に対応する送信先に、前記通信部で受信された画像データを送信させること
を特徴とする請求項７から１０の何れか一項に記載の画像転送装置。
【請求項１２】
前記送信設定情報は、さらに、前記送信元から受信された画像データを送信するプロトコルを示す送信プロトコルを含み、
前記制御部は、前記送信設定情報に基づいて、前記通信部で受信された画像データの送信元に対応する送信プロトコルを用いて、前記通信部で受信された画像データを送信させること
を特徴とする請求項１１に記載の画像転送装置。
【発明の詳細な説明】
【技術分野】
【０００１】
本発明は、受信した画像データを予め定められた送信先に転送する画像転送装置に関する。
【背景技術】
【０００２】
従来、印刷手段の他に、ＦＡＸ送受信機能、電子メール送受信機能及びＦＴＰ（Ｆｉｌｅ  Ｔｒａｎｓｆｅｒ  Ｐｒｏｔｏｃｏｌ）を用いたデータ転送機能等を有する通信手段を備える複合機において、通信手段で受信された画像データを、予め指定された送信先へ転送することができるように構成されているものがあった（例えば、特許文献１参照）。
【先行技術文献】
【特許文献】
【０００３】
【特許文献１】特開平１０−１２６５３９号公報
【発明の概要】
【発明が解決しようとする課題】
【０００４】
しかしながら、従来の複合機は、この複合機から転送された画像データを受信した端末から、当該転送された画像データの印刷指示を受けても、当該転送された画像データが複合機の仕様に適合しない場合には、当該転送された画像データの画像を印刷することができなかった。
そこで、本発明は、複合機から他の端末に転送された画像データの画像を印刷することができるようにすることを目的とする。
【課題を解決するための手段】
【０００５】
本発明の１態様に係る画像転送装置は、画像データの送受信を行う通信部と、前記通信部で受信された画像データの送信先を含む送信設定情報を記憶する記憶部と、前記通信部で受信された画像データの画像が印刷可能と判断した場合に、前記通信部で受信された画像データを、前記送信設定情報で示される送信先へ、前記通信部に送信させる制御部と、を備えることを特徴とする。
【発明の効果】
【０００６】
本発明の１態様によれば、複合機から他の端末に転送された画像データの画像を印刷することができる。
【図面の簡単な説明】
【０００７】
【図１】実施の形態１に係る複合機を利用したネットワークシステムを概略的に示す構成図である。
【図２】実施の形態１に係る複合機の構成を概略的に示すブロック図である。
【図３】実施の形態１及び２における送信設定リストの一例を示す概略図である。
【図４】実施の形態１における制御部の機能構成を概略的に示すブロック図である。
【図５】実施の形態１に係る複合機が画像データを受信した場合の処理を示すフローチャートである。
【図６】実施の形態２に係る複合機を利用したネットワークシステムを概略的に示す構成図である。
【図７】実施の形態２に係る複合機の構成を概略的に示すブロック図である。
【図８】実施の形態２における送信先能力リストの一例を示す概略図である。
【図９】実施の形態２における制御部の機能構成を概略的に示すブロック図である。
【図１０】実施の形態２に係る複合機が、画像データを転送する場合の処理を示すフローチャートである。
【発明を実施するための形態】
【０００８】
実施の形態１．
図１は、実施の形態１に係る複合機１１０を利用したネットワークシステム１００を概略的に示す構成図である。ネットワークシステム１００は、複合機１１０と、端末１３０Ａ、１３０Ｂ（各々を特に区別する必要のないときは、端末１３０という）とを備える。複合機１１０及び端末１３０は、ネットワーク１３１に接続されている。ネットワーク１３１は、有線ＬＡＮであっても、無線ＬＡＮであってもよい。
【０００９】
図２は、実施の形態１に係る複合機１１０の構成を概略的に示すブロック図である。複合機１１０は、ＣＰＵ（Ｃｅｎｔｒａｌ  Ｐｒｏｃｅｓｓｉｎｇ  Ｕｎｉｔ）１１１と、ＲＡＭ（Ｒａｎｄｏｍ  Ａｃｃｅｓｓ  Ｍｅｍｏｒｙ）１１２と、ＲＯＭ（Ｒｅａｄ  Ｏｎｌｙ  Ｍｅｍｏｒｙ）１１３と、通信部としてのネットワークインターフェース１１４と、印刷部としてのプリントユニット１１５と、入力部及び表示部としてのオペレータパネル１１６と、ハードディスク１１７と、これらを接続する共通バス１１８とを備える。ここで、ＲＡＭ１１２、ＲＯＭ１１３及びハードディスク１１７は、記憶部として機能する。
【００１０】
ＣＰＵ１１１は、マイクロプロセッサ等により構成され、ＲＯＭ１１３に記憶されている制御プログラムＣＯＰ１を実行することにより、複合機１１０の全体の制御を行う。
ＲＡＭ１１２は、ＣＰＵ１１１の主メモリであって、制御プログラムＣＯＰ１の実行に必要な情報を一時的に記憶する。
ＲＯＭ１１３は、複合機１１０の全体を制御するための制御プログラムＣＯＰ１を記憶する。
ネットワークインターフェース１１４は、ネットワーク１１３を介して、情報の送受信を行う。例えば、本実施の形態においては、ネットワークインターフェース１１４は、ネットワーク１１３を介して、端末１３０と画像データの送受信を行う。
プリントユニット１１５は、画像データで示される画像を媒体に形成する。
オペレータパネル１１６は、画面を表示するディスプレイと、操作の入力を受け付ける入力装置とを備える。例えば、複合機１１０の利用者は、オペレータパネル１１６を介して、情報の通知を受け、また、必要な設定の入力を行う。
ハードディスク１１７は、複合機１１０で使用される情報を記憶する。ハードディスク１１７を備えることにより、複合機１１０は、必要な情報を永続的に保持することができる。本実施の形態においては、ハードディスク１１７は、複合機１１０がネットワークインターフェース１１４において受信された画像データを処理する場合に使用される内部データである送信設定リストＳＲＤを記憶する。なお、送信設定リストＳＲＤは、複合機１１０の利用者が、オペレータパネル１１６を用いて作成及び更新するものとする。
【００１１】
送信設定リストＳＲＤは、受信された画像データの送信元毎に、複合機１１０が実行する処理内容を示す送信設定情報をリスト化したものである。本実施の形態においては、複合機１１０が実行する処理内容は、受信された画像データを、印刷するか否か及び転送するか否かである。
図３は、送信設定リストＳＲＤの一例を示す概略図である。送信設定リストＳＲＤは、各行に送信設定情報が格納されたテーブル形式の情報である。
図示するように、送信設定リストＳＲＤは、Ｎｏ欄ＳＲＤ１と、印刷指定欄ＳＲＤ２と、送信元情報欄ＳＲＤ３と、送信プロトコル欄ＳＲＤ４と、送信先アドレス欄ＳＲＤ５とを有する。
Ｎｏ欄ＳＲＤ１は、各々の送信設定情報を識別するための識別情報を格納する。
印刷指定欄ＳＲＤ２は、画像データを転送する際に、この画像データで示される画像の印刷を行うか否かを示す印刷指定を格納する。印刷指定が「ＯＮ」の場合には印刷を行い、「ＯＦＦ」の場合には印刷を行わない。
送信元情報ＳＲＤ３は、画像データの送信元を示す送信元情報を格納する。本実施の形態においては、送信元情報として、メールアドレスが用いられる。なお、図３における「＊」は、任意の文字列を示している。例えば、Ｎｏ欄ＳＲＤ１が「１」の送信元情報「＊＠ａｂｃ．ｃｏ．ｊｐ」は、ユーザ名は任意であり、「＠」以下が一致する全てのメールアドレスを示す。また、Ｎｏ欄ＳＲＤ２が「３」の送信元情報「*」は、全てのメールアドレスを示す。
送信プロトコル欄ＳＲＤ４は、送信元情報ＳＲＤ３で示される送信元から送信されてきた画像データを転送する場合に、転送に用いるプロトコルを示す送信プロトコルを格納する。なお、送信プロトコル欄ＳＲＤ４に「−」が格納されている場合には、画像データを転送しないことを示す。
送信先アドレス欄ＳＲＤ５は、送信元情報ＳＲＤ３で示される送信元から送信されてきた画像データを転送する場合に、転送を行う送信先を示す送信先情報を格納する。ここで、送信先情報としては、送信先のアドレスが用いられる。なお、送信先アドレス欄ＳＲＤ５に「−」が格納されている場合には、画像データを転送しないことを示す。
【００１２】
図４は、ＲＯＭ１１３に記憶されている制御プログラムＣＯＰ１をＣＰＵ１１１が実行することにより実現される制御部１２０の機能構成を概略的に示すブロック図である。制御部１２０は、通信制御部１２１と、オペレータパネル制御部１２２と、印刷制御部１２３と、画像データ検証部１２４と、受信画像処理部１２５とを備える。
【００１３】
通信制御部１２１は、ネットワークインターフェース１１４を制御して、ネットワーク１３０を介して、情報を送受信する処理を実行する。
オペレータパネル制御部１２２は、オペレータパネル１１６を制御して、画面を出力する処理及び操作の入力を受け付ける処理を実行する。例えば、オペレータパネル制御部１２２は、オベレータバネル１１６上にメッセージを出力する処理を実行する。また、オペレータパネル制御部１２２は、オペレータパネル１１６に備え付けられたキーが押下されたことを検知して、複合機１１０の他の部分に伝達する処理を実行する。
印刷制御部１２３は、受信画像処理部１２５の指示に応じて、受信された画像データを、プリントユニット１１５で画像を形成することのできる画像形式に変換して、変換後の画像データをプリントユニット１１５に与えて、媒体上に画像を形成させる処理を実行する。なお、本実施の形態においては、複合機１１０は、複合機１１０用のプリンタドライバで生成された複合機１１０専用の画像形式以外に、ＴＩＦＦ、ＰＤＦ及びＪＰＥＧ形式の画像形式のファイルを印刷することができるものとする。
画像データ検証部１２４は、ネットワークインターフェース１１４において受信された画像データが、複合機１１０にて画像形成可能であるか否かを検証する。例えば、画像データ検証部１２４は、受信された画像データが複合機１１０でサポートしている画像形式であるか、受信された画像データの中身が画像データの拡張子で指定された画像形式の仕様を満たしているか、といった内容に基づいて検証を行う。ここで、画像データ検証部１２４は、受信された画像データのカラー設定、画像サイズ及び画像形式等により、複合機１１０にて画像形成可能であるか否かを検証してもよい。
受信画像処理部１２５は、ネットワークインターフェース１１４において受信された画像をどのように処理するかを決定する。例えば、受信画像処理部１２５は、受信された画像データの送信により、送信設定リストＳＲＤの送信設定情報を特定し、特定された送信設定情報に基づいて、受信された画像データを処理する。また、受信画像処理部１２５は、複合機１１０の利用者が、オペレータパネル１１６を介して、送信設定リストＳＲＤの入力操作又は変更操作を行った場合には、オペレータパネル制御部１２２からの要求に応じて、送信設定リストＳＲＤを作成又は更新する処理を実行する。
【００１４】
なお、図２には示されていないが、複合機１１０は、ファクシミリ通信を行うファクシミリユニット及び原稿から画像データを読み取るスキャンユニットの少なくとも何れか一方を備えていてもよい。
【００１５】
端末１３０は、画像データを送受信する機能を有する外部装置である。画像データを送受信するプロトコルとしては、電子メール、ＦＡＸ、ＦＴＰ等があるが、特にこれらに限定されるものではない。なお、端末１３０の例としては、パソコン、ワークステーション、携帯電話又はＰＤＡ（Ｐｅｒｓｏｎａｌ  Ｄｉｇｉｔａｌ  Ａｓｓｉｓｔａｎｔ）等が挙げられるが特に限定されない。図１では、端末１３０Ａ、１３０Ｂの２つが示されているが、この数については特に限定されない。
【００１６】
図５は、実施の形態１に係る複合機１１０が画像データを受信した場合の処理を示すフローチャートである。図５では、図１に示すネットワークシステム１００において、「ｔａｒｏ＠ａｂｃ．ｃｏ．ｊｐ」のメールアドレスをもつ利用者が端末１３０Ａを操作して、画像ファイルを電子メールに添付して、端末１３０Ａから複合機１１０にこの電子メールを送信した場合を例にして、説明する。
【００１７】
まず、通信制御部１２１は、ネットワークインターフェース１１４を介して、電子メールを受信する（Ｓ１０）と、この電子メールに添付されている画像データを、ハードディスク１１７に格納させ、受信画像処理部１２５に、送信元情報「ｔａｒｏ＠ａｂｃ．ｃｏ．ｊｐ」と共に、新規画像データを受信した旨を通知する。
【００１８】
次に、受信画像処理部１２５は、通信制御部１２１から新規画像データを受信した旨の通知を受けると、画像データ検証部１２４に対して、受信された画像データの検証を指示する。このような指示を受けた画像データ検証部１２４は、受信された画像データが予め定められた基準を満たしているか否かの検証を行う（Ｓ１１）。例えば、画像データ検証部１２４は、まず、受信された画像データの拡張子情報を取得し、受信された画像データが複合機１１０で画像形成可能な画像形式であるか否かを確認する。そして、画像データ検証部１２４は、受信された画像データが複合機１１０で画像形成可能な画像形式であると判断した場合には、更に、受信された画像データの内容が複合機１１０でサポートされている画像形式の仕様を満たしているか否かを検証する。
【００１９】
そして、画像データ検証部１２４は、受信された画像データが予め定められた基準を満たしていない場合（ステップＳ１２でＮｏ）、例えば、受信された画像データが複合機１１０で画像形成可能な画像形式ではない場合、又は、画像データの内容が複合機１１０でサポートされている画像形式の仕様を満たしていない場合には、ステップＳ１９の処理に進む。ここで、画像データの内容が複合機１１０でサポートされている画像形式の仕様を満たしていない場合の例としては、以下のようなものがある。例えば、受信された画像データの拡張子がＰＤＦファイルを示すものである場合、受信された画像データの先頭にはヘッダと呼ばれる情報を格納する領域がある。このヘッダには、ＰＤＦファイルであることを示す文字列と、バージョン番号（例えば、ＰＤＦバージョン１．４でＰＤＦファイルを作成した場合、ヘッダには、“％ＰＤＦ−１４”の文字列）が設定されるはずであるが、これらのデータが存在しなかったり、バージョン番号が複合機１１０でサポートされているバージョンではなかったりした場合等が挙げられる。一方、画像データ検証部１２４は、受信された画像データが予め定められた基準を満たしている場合（ステップＳ１２でＹｅｓ）には、以降の処理を継続する為、受信画像処理部１２５に受信された画像データの検証の結果を通知して、ステップＳ１３の処理に進む。
【００２０】
ステップＳ１３では、受信画像処理部１２５は、通信制御部１２１から通知された送信元情報をキーに送信設定リストＳＲＤの送信元情報欄ＳＲＤ３を検索し、条件に合致する送信設定情報が存在するか否かを確認する。ここでは、送信元情報が「ｔａｒｏ＠ａｂｃ．ｃｏ．ｊｐ」であるため、Ｎｏ欄ＳＲＤ１の識別情報が「１」と「３」の送信設定情報が、条件に合致する。
そして、受信画像処理部１２５は、条件に合致する送信設定情報が存在しない場合（ステップＳ１３でＮｏ）には、ステップＳ１４の処理に進み、条件に合致する送信設定情報が存在する場合（ステップＳ１３でＹｅｓ）には、ステップＳ１５の処理に進む。
【００２１】
ステップＳ１４では、条件に合致する送信設定情報が見つからなかったため、デフォルトの動作として受信された画像データの印刷を実行して、ステップＳ１９の処理に進む。
【００２２】
ステップＳ１５では、受信画像処理部１２５は、送信設定リストＳＲＤの検索によって見つかった送信設定情報の印刷指定欄ＳＲＤ２の値を取得し、画像データの印刷が必要か否かを確認する。ここで、受信画像処理部１２５は、見つかった送信設定情報の少なくとも１つの印刷指定欄ＳＲＤ２の値が印刷することを示すものである場合には、印刷指定がされているものと判断し（ステップＳ１５でＹｅｓ）、ステップＳ１６の処理に進む。一方、印刷指定がされていないと判断した場合（ステップＳ１５でＮｏ）には、ステップＳ１７の処理に進む。
【００２３】
ステップＳ１６では、印刷制御部１２３は、受信された画像データを複合機１１０で印刷可能な画像形式に変換し、媒体上に画像を形成させる処理を行う。本実施の形態では、受信された画像データを複合機１１０で印刷可能な画像形式に変換する処理と、受信された画像データの検証処理とを別処理として記載したが、複合機１１０で印刷を実行する画像形式に変換する処理の中に画像形式の検証処理が含まれる場合は、複合機１１０で印刷を実行する画像形式に変換する処理をもって画像の検証処理としてもよい。
【００２４】
ステップＳ１７では、受信画像処理部１２５は、送信設定リストＳＲＤの検索によって見つかった送信設定情報の送信プロトコル欄ＳＲＤ４及び送信先アドレス欄ＳＲＤ５の値を取得し、他の端末への転送が指定されているかを確認する。そして、受信画像処理部１２５は、他の端末への転送が指定されている場合（ステップＳ１７でＹｅｓ）には、送信処理を実行するためステップＳ１８の処理に進み、他の端末への転送が指定されていない場合（ステップＳ１７でＮｏ）には、ステップＳ１９の処理に進む。
【００２５】
ステップＳ１８では、通信制御部１２１は、送信プロトコル欄ＳＲＤ４で示されるプロトコルに従って、送信先アドレス欄ＳＲＤ５で示される送信先アドレスに、受信された画像データを送信する処理を実行する。なお、通信制御部１２１は、送信設定リストＳＲＤを検索した結果、複数の送信先が見つかった場合には、見つかった全ての送信先に受信された画像データを送信する。例えば、「ｔａｒｏ＠ａｂｃ．ｃｏ．ｊｐ」の送信元情報には、Ｎｏ欄ＳＲＤ１の識別情報が「１」と「３」の送信設定情報が対応するが、このような場合には、通信制御部１２１は、受信された画像データを、電子メール形式で「ａｂｅ＠ｃｍｓ．ｎｅ．ｊｐ」のメールアドレスに送信すると共に、ＦＴＰ形式で「／／１９２．１６８．１００．５０／ｆｔｐ＿ｔｅｓｔ」のサーバーに送信する。
【００２６】
ステップＳ１９では、受信画像処理部１２５は、ハードディスク１１７に格納された画像データを削除し、処理を終了する。
【００２７】
以上のように、実施の形態１によれば、複合機１１０から送信先の装置に転送された画像データは、少なくとも画像転送元の複合機１１０において印刷可能であることが保障されるため、送信先の装置は、画像転送元の複合機１１０に、送信されてきた画像データで示される画像の印刷を行わせることができる。
【００２８】
実施の形態２．
図６は、実施の形態２に係る複合機２１０を利用したネットワークシステム２００を概略的に示す構成図である。ネットワークシステム２００は、複合機２１０と、端末１３０Ａ、１３０Ｂ（各々を特に区別する必要のないときは、端末１３０という）と、端末２３０とを備える。実施の形態２におけるネットワークシステム２００は、複合機２１０及び端末２３０において、実施の形態１におけるネットワークシステム１００と異なっている。
【００２９】
実施の形態２における端末２３０は、複合機２１０が受信された画像データを転送する送信先となる外部装置である。本実施の形態では、説明の都合上、端未２３０は、プリンタであるものとするが、プリンタ以外でも、複合機又はファクシミリ等のように、画像を形成することができる画像形成機能（印刷機能）を備える装置であればよい。また、本実施の形態では、端末２３０は、１つである場合を例に説明しているが、端末２３０は複数あってもよい。
【００３０】
図７は、実施の形態２に係る複合機２１０の構成を概略的に示すブロック図である。複合機２１０は、ＣＰＵ１１１と、ＲＡＭ１１２と、ＲＯＭ２１３と、通信部としてのネットワークインターフェース１１４と、印刷部としてのプリントユニット１１５と、入力部及び表示部としてのオペレータパネル１１６と、ハードディスク２１７と、これらを接続する共通バス１１８とを備える。ここで、ＲＡＭ１１２、ＲＯＭ２１３及びハードディスク２１７は、記憶部として機能する。実施の形態２に係る複合機２１０は、ＲＯＭ２１３に記憶されているプログラム及びハードディスク２１７に記憶されている情報において、実施の形態１に係る複合機１１０と異なっている。
【００３１】
ＲＯＭ２１３は、複合機２１０の全体を制御するための制御プログラムＣＯＰ２を記憶する。ここで、実施の形態２における制御プログラムＣＯＰ２は、実施の形態１における制御プログラムＣＯＰ１と異なっており、制御プログラムＣＯＰ２をＣＰＵ１１１で実行することにより実現される機能についても、実施の形態１とは異なっている。なお、制御プログラムＣＯＰ２をＣＰＵ１１１で実行することにより実現される機能については、図９を用いて説明する。
【００３２】
ハードディスク２１７は、複合機２１０で使用される情報を記憶する。例えば、本実施の形態におけるハードディスク２１７は、送信設定リストＳＲＤと、送信先能力リストＤＣＤとを記憶し、送信先能力リストＤＣＤをさらに記憶している点において、実施の形態１におけるハードディスク１１７と異なっている。なお、送信先能力リストＤＣＤについても、複合機２１０の利用者が、オペレータパネル１１６を用いて作成するものとする。
【００３３】
送信先能力リストＤＣＤは、受信された画像データを転送する送信先毎に、送信先の端末の画像データの処理能力を示す送信先能力情報をリスト化したものである。本実施の形態においては、画像データの処理能力は、画像を印刷する際のカラーモード、原稿サイズ及び画像形式により特定される。
図８は、送信先能力リストＤＣＤの一例を示す概略図である。送信先能力リストＤＣＤは、各行に送信先能力情報が格納されたテーブル形式の情報である。
図示するように、送信先能力リストＤＣＤは、送信先アドレス欄ＤＣＤ１と、カラーモード欄ＤＣＤ２と、原稿サイズ欄ＤＣＤ３と、画像形式欄ＤＣＤ４とを有する。
送信先アドレス欄ＤＣＤ１は、受信された画像データを転送する送信先を示す送信先情報を格納する。ここで、送信先情報としては、送信先のアドレスが用いられる。
カラーモード欄ＤＣＤ２は、送信先アドレス欄ＤＣＤ１で示される送信先の端末が対応しているカラーモードを示す情報を格納する。例えば、カラーモード欄ＤＣＤ２が「カラー／モノクロ」である場合には、送信先の端末が、カラー印刷及びモノクロ印刷に対応していることを示し、カラーモード欄ＤＣＤ２が「モノクロのみ」である場合には、送信先の端末が、モノクロ印刷に対応し、カラー印刷には対応していないことを示す。
原稿サイズ欄ＤＣＤ３は、送信先アドレス欄ＤＣＤ１で示される送信先の端末が対応している原稿サイズを示す情報を格納する。例えば、原稿サイズ欄ＤＣＤ３が「Ａ３まで」である場合には、送信先の端末が、Ａ３サイズまでの大きさの画像データを印刷できることを示し、原稿サイズ欄ＤＣＤ３が「Ａ４まで」である場合には、送信先の端末が、Ａ４サイズまでの大きさの画像データを印刷できることを示す。
画像形式欄ＤＣＤ４は、送信先アドレス欄ＤＣＤ１で示される送信先の端末が対応している画像形式を示す情報を格納する。例えば、画像形式欄ＤＣＤ４が、「ＪＰＥＧ／ＰＤＦ／ＴＩＦＦ」である場合には、送信先の端末が、「ＪＰＥＧ」、「ＰＤＦ」及び「ＴＩＦＦ」の画像形式に対応していることを示し、画像形式欄ＤＣＤ４が、「ＰＤＦ」である場合には、送信先の端末が、「ＰＤＦ」の画像形式に対応していることを示す。
【００３４】
図９は、ＲＯＭ２１３に記憶されている制御プログラムＣＯＰ２をＣＰＵ１１１が実行することにより実現される制御部２２０の機能構成を概略的に示すブロック図である。制御部２２０は、通信制御部１２１と、オペレータパネル制御部１２２と、印刷制御部１２３と、画像データ検証部１２４と、受信画像処理部２２５と、送信先能力情報管理部２２６と、画像データ変換部２２７とを備える。実施の形態２における制御部２２０は、受信画像処理部２２５での処理の点、並びに、送信先能力情報管理部２２６及び画像データ変換部２２７をさらに備える点において、実施の形態１における制御部１２０と異なっている。
【００３５】
受信画像処理部２２５は、実施の形態１と同様の処理を行うほか、送信先能力情報管理部２２６より、受信された画像データの転送先の画像データの処理能力を取得する。そして、受信画像処理部２２５は、取得された処理能力では、受信された画像データの印刷を行うことができないと判断した場合には、画像データ変換部２２７に、取得された処理能力で印刷を行うことができる画像データとなるように、受信された画像データを変換させる。この際、例えば、受信画像処理部２２５は、変換後の画像データのカラーモード、原稿サイズ及び画像形式を画像データ変換部２２７に指示する。
送信先能力情報管理部２２６は、ハードディスク２１７に格納されている送信先能力リストＤＣＤを管理する処理を実行する。例えば、送信先能力情報管理部２２６は、受信画像処理部２２５より、送信先アドレスを入力として受け取った場合には、送信先能力リストＤＣＤより、入力された送信先アドレスに対応する画像データの処理能力を特定し、この処理能力を受信画像処理部２２５に返す処理を実行する。また、送信先能力情報管理部２２６は、複合機２１０の利用者が、オペレータパネル１１６を介して、送信先能力リストＤＣＤの入力操作又は変更操作を行った場合には、オペレータパネル制御部１２２からの要求に応じて、送信先能力リストＤＣＤを作成又は更新する処理を実行する。
画像データ変換部２２７は、受信された画像データを、受信された画像データの送信先となる端末２３０において印刷可能な画像データに変換する処理を実行する。画像データ変換部２２７による画像データの変換処理の例としては、画像形式の変換（例えば、ＪＰＥＧからＰＤＦへの変換）、端末２３０で画像を印刷する場合のカラーモード及び原稿サイズの少なくとも何れか一方の変更等が挙げられる。
【００３６】
実施の形態２における複合機２１０の動作は、図５に示されている実施の形態１における複合機１１０の動作において、ステップＳ１８における外部装置への画像データを送信する処理だけが異なっているため、ここでは、図５におけるステップＳ１８の処理内容についてのみ、図１０を用いて説明する。
【００３７】
図１０は、実施の形態２に係る複合機２１０が、画像データを送信する場合の処理を示すフローチャートである。ここで、図１０では、複合機２１０で受信されたＪＰＥＧ形式のＡ３カラー画像の画像データを、送信先アドレスが「１９２．１６８．１００．５４」となっている端末２３０に転送するものとして説明する。説明の都合上、本実施の形態における複合機２１０は、複合機２１０用のプリンタドライバで生成された複合機２１０専用の画像形式以外に、ＴＩＦＦ、ＰＤＦ及びＪＰＥＧ形式の画像ファイルのＡ３カラー印刷を行うことができるものとし、端末２３０は、ＰＤＦ形式の画像ファイルのＡ４モノクロ印刷を行うことができるものとして、以降の説明を行う。
【００３８】
まず、受信画像処理部２２５は、送信先能力情報管理部２２６に対し、端末２３０の送信先アドレスを入力情報として、端末２３０の画像データの処理能力を問い合わせる。送信先能力情報管理部２２６は、入力された送信先アドレスをキーに送信先能力リストＤＣＤを検索し、入力された送信先アドレスが、送信先アドレス欄ＤＣＤ１に格納されている送信先能力情報が見つかった場合は、当該送信先能力情報に含まれている処理能力を受信画像処理部２２５に返す（Ｓ２０）。なお、送信先能力リストＤＣＤに受信画像処理部２２５から指定された送信先アドレスが存在しない場合は、送信先能力情報管理部２２６が、通信制御部１２１を介して、端末２３０に対して画像データの処理能力を送信するよう指示を出すことで、端末２３０より画像データの処理能力を取得するように構成してもよい。
【００３９】
次に、受信画像処理部２２５は、受信された画像データと、送信先能力情報管理部２２６から取得した、端末２３０の画像データの処理能力とを比較し、受信された画像データをそのままの形式で端末２３０が処理可能か否かを判断する（Ｓ２１）。そして、受信画像処理部２２５は、端末２３０が受信された画像データをそのままの形式では処理不可能であると判断した場合（ステップＳ２１でＮｏ）には、ステップＳ２２の処理に進み、端末２３０が受信された画像データをそのままの形式で処理可能であると判断した場合（ステップＳ２１でＹｅｓ）には、ステップＳ２４の処理に進む。
【００４０】
ステップＳ２２では、受信画像処理部２２５は、例えば、ＲＯＭ２１３に記憶されている、複合機２１０で実施可能な画像データの変換処理を示す画像データ変換処理リスト（図示せず）を参照して、複合機２１０にて受信された画像データを、端末２３０で画像処理可能な画像データに変換可能か否かを判断する。そして、受信画像処理部２２５は、変換可能であると判断した場合（ステップＳ２２でＹｅｓ）には、ステップＳ２３の処理に進み、変換不可能であると判断した場合（ステップＳ２２でＮｏ）には、処理を終了する。
【００４１】
ステップＳ２３では、受信画像処理部２２５は、画像データ変換部２２７に、受信された画像データの変換を要求する。このような要求を受けた画像データ変換部２２７は、受信画像処理部２２５からの指示に応じて、受信された画像データを変換して、変換済みの画像データを生成する。ここでは、画像データ変換部２２７は、受信されたＪＰＥＧ形式のＡ３カラー画像の画像データを、ＰＤＦ形式のＡ４モノクロの画像データに変換する。
【００４２】
ステップＳ２４では、通信制御部１２１は、送信プロトコル欄ＳＲＤ４で示されるプロトコルに従って、送信先アドレス欄ＳＲＤ５で示される送信先アドレスに、受信された画像データ又は変換済みの画像データを送信する処理を実行する。
【００４３】
以上のように実施の形態２によれば、複合機２１０で受信された画像データの転送先となる外部装置として、プリンタ等が指定された場合でも、確実に転送先のプリンタ等で、転送されてきた画像データを印刷することが可能となる。
【００４４】
なお、図１０のステップＳ２０において、入力された送信先アドレスに対応する送信先能力情報が見つからなかった場合には、受信画像処理部２２５は、受信された画像データをそのまま送信先の端末に送信するように制御してもよい。
【００４５】
実施の形態２における端末２３０は、画像形成機能を備える装置として説明したが、例えば、端末２３０は、画像形成機能を備える装置が接続されたパソコン又はワークステーション等の情報処理装置であってもよい。このような場合には、端末２３０毎に、端末２３０に接続されている装置の画像データの処理能力を送信先能力リストＤＣＤに格納しておけばよい。
【００４６】
以上に記載された実施の形態２では、図５に示されているステップＳ１１及びＳ１２の処理を行ってから、図１０に示されているフローチャートを実行するように構成されているが、実施の形態２においては、図５に示されているステップＳ１１及びＳ１２の処理を省略することも可能である。このようにすることで、転送元の複合機１１０では印刷できなくても、送信先の端末２３０で印刷することができる場合には、このような端末２３０に画像データを転送することができるようになる。
【００４７】
また、図５に示されているステップＳ１０及びＳ１１の間に、ステップＳ１３の処理を行うとともに、送信設定情報がある場合（ステップＳ１３でＹｅｓ）には、当該送信設定情報で示される送信先の処理能力が送信先能力リストＤＣＤに格納されているか否かを確認し、格納されている場合には、ステップＳ１１及びＳ１２の処理を省略し、格納されていない場合には、ステップＳ１１及びＳ１２の処理を行うように構成することも可能である。
【００４８】
以上に記載した実施の形態１及び２では、複合機１１０、２１０を例に説明したが、その他にもファクシミリ等の画像形成機能と通信機能とを備え、受信された画像データを他の装置に転送する画像転送装置においても、本発明を通用可能である。
【符号の説明】
【００４９】
１００，２００：ネットワークシステム、  １１０，２１０：複合機、  １１１：ＣＰＵ、  １１２：ＲＡＭ、  １１３：ＲＯＭ、  １１４：ネットワークインターフェース、  １１５：プリントユニット、  １１６：オペレータパネル、  １１７：ハードディスク、  １１８：共通バス、  １２０：制御部、  １２１：通信制御部、  １２２：オペレータパネル制御部、  １２３：印刷制御部、  １２４：画像データ検証部、  １２５，２２５：受信画像処理部、  ２２６：送信先能力情報管理部、  ２２７：画像データ変換部。
【図１】
2012151741.tif 000003
【図２】
2012151741.tif 000004
【図３】
2012151741.tif 000005
【図４】
2012151741.tif 000006
【図５】
2012151741.tif 000007
【図６】
2012151741.tif 000008
【図７】
2012151741.tif 000009
【図８】
2012151741.tif 000010
【図９】
2012151741.tif 000011
【図１０】
2012151741.tif 000012